(57)【特許請求の範囲】
【請求項１】
所定の記録媒体から読み出した積符号による誤り訂正符号化処理がなされた符号化データから、当該符号化データを形成する内符号ブロツク毎の同期データを検出する同期検出手段と、
上記符号化データを、内符号を用いて誤り検出及び誤り訂正処理する内符号誤り訂正手段と、
上記符号化データを形成する内符号ブロツク毎に付加されたＩＤ番号を検出するＩＤ検出手段と、
上記符号化データを、外符号を用いて誤り検出及び誤り訂正処理する外符号誤り訂正手段と、
上記同期検出手段、上記内符号誤り訂正手段、上記ＩＤ検出手段から送られた条件判別結果に応じて上記外符号誤り訂正手段による誤り検出及び誤り訂正処理を禁止する制御手段と、
上記内符号誤り訂正手段、又は上記内符号誤り訂正手段及び上記外符号誤り訂正手段によつて誤り検出及び誤り訂正がなされた上記符号化データを復号処理する復号手段と、
上記復号処理したデータを出力する再生出力手段と
を備えることを特徴とする再生装置。
【請求項２】
上記同期検出手段は、上記同期データの検出の可否及び上記同期データの周期性の有無を条件とし，当該条件の判別結果を上記制御手段に送り、
上記内符号誤り訂正手段は、上記内符号を用いた誤り検出及び誤り訂正処理による全ての誤りの訂正の可否及び当該内符号による誤り検出及び誤り訂正処理の際に誤りを検出した上記符号化データを形成する内符号ブロツクの数が予め設定される基準値以下であるか否かを条件とし、当該条件の判別結果を上記制御手段に送り、
上記ＩＤ検出手段は、上記ＩＤ番号の連続性の有無を条件とし、当該条件の判別結果を上記制御手段に送る
ことを特徴とする請求の範囲第１項に記載の再生装置。
【請求項３】
上記制御手段は、上記条件判別結果のうちすべてが満足される場合、上記外符号誤り訂正手段による誤り検出及び誤り訂正処理を禁止する
ことを特徴とする請求の範囲第２項に記載の再生装置。
【請求項４】
所定の記録媒体から読み出した積符号による誤り訂正符号化処理がなされた符号化データから、当該符号化データを形成する内符号ブロツク毎の同期データを検出する同期検出手段と、
上記符号化データを、内符号を用いて誤り検出及び誤り訂正処理する内符号誤り訂正手段と、
上記符号化データを形成する内符号ブロツク毎に付加されたＩＤ番号を検出するＩＤ検出手段と、
上記符号化データを、外符号を用いて誤り検出及び誤り訂正処理する外符号誤り訂正手段と、
上記同期検出手段、上記内符号誤り訂正手段、上記ＩＤ検出手段から送られた条件判別結果に応じて上記外符号誤り訂正手段による誤り検出及び誤り訂正処理を禁止する制御手段と
を備えることを特徴とする誤り訂正装置。
【請求項５】
上記同期検出手段は、上記同期データの検出の可否及び上記同期データの周期性の有無を条件とし、当該条件の判別結果を上記制御手段に送り、
上記内符号誤り訂正手段は、上記内符号を用いた誤り検出及び誤り訂正処理による全ての誤り訂正の可否及び当該内符号による誤り検出及び誤り訂正処理の際に誤りを検出した上記符号化データを形成する内符号ブロツクの数が予め設定される基準値以下であるか否かを条件とし、当該条件の判別結果を上記制御手段に送り、
上記ＩＤ検出手段は、上記ＩＤ番号の連続性の有無を条件とし、当該条件の判別結果を上記制御手段に送る
ことを特徴とする請求の範囲第４項に記載の誤り訂正装置。
【請求項６】
上記制御手段は、上記条件判別結果のうちすべてが満足される場合、上記外符号誤り訂正手段による誤り検出及び誤り訂正処理を禁止する
ことを特徴とする請求の範囲第５項に記載の誤り訂正装置。
【請求項７】
所定の記録媒体から読み出した積符号による誤り訂正符号化処理がなされた符号化データから、当該符号化データを形成する内符号ブロツク毎の同期データを検出する同期検出ステツプと、
上記符号化データを、内符号を用いて誤り検出及び誤り訂正処理する内符号誤り訂正ステツプと、
上記符号化データを形成する内符号ブロツク毎に付加されたＩＤ番号を検出するＩＤ検出ステツプと、
上記同期検出ステツプ、上記内符号誤り訂正ステツプ、上記ＩＤ検出ステツプからの条件判別結果に応じて外符号による誤り検出及び誤り訂正処理を禁止する誤り訂正制御ステツプと
を含むことを特徴とする誤り訂正方法。
【請求項８】
上記同期検出ステツプは、上記同期データの検出の可否及び上記同期データの周期性の有無を条件判別結果とし、
上記内符号誤り訂正ステツプは、上記内符号を用いた誤り検出及び誤り訂正処理による全ての誤りの訂正の可否及び当該内符号による誤り検出及び誤り訂正処理の際に誤りを検出した上記符号化データを形成する内符号ブロツクの数が予め設定される基準値以下であるか否かを条件判別結果とし、
上記ＩＤ検出手段は、上記ＩＤ番号の連続性の有無を条件判別結果とする
ことを特徴とする請求の範囲第５項に記載の誤り訂正方法。
【請求項９】
上記誤り訂正制御ステツプは、上記条件判別結果のうちすべてが満足される場合、上記外符号による誤り検出及び誤り訂正処理を禁止する
ことを特徴とする請求の範囲第８項に記載の誤り訂正方法。
【発明の詳細な説明】
技術分野
本発明は再生装置、誤り訂正装置及び誤り訂正方法に関し、例えば積符号による誤り訂正符号化処理が施されたデイジタルデータを復号処理して再生する再生装置、誤り訂正装置及び誤り訂正方法に適用して好適なものである。
背景技術
従来、携帯型機器としては、例えばデイジタルビデオカセツトレコーダのような記録再生装置がある。このような記録再生装置はその特徴である携帯性によつて、どのような場所でも持ち運んで画像及び音声を記録及び再生し得るため、現在、広く用いられている。またこうした記録再生装置としては入力した画像及び音声信号をデイジタル信号の状態で磁気テープ等の記録媒体に記録するものがあり、この際、再生する画像及び音声信号の誤り訂正のために、誤り訂正符号化処理により生成する誤り訂正符号を付加して記録するようになされている。こうした誤り訂正符号化処理としては、積符号による符号化が多く用いられている。
発明の開示
図５において、１及び２はそれぞれ記録装置、再生装置を示し、アナログ信号でなる画像及び音声データを記録装置１によつて符号化処理することによりデイジタル信号の状態で磁気テープ３に記録する。また再生装置２は磁気テープ３に記録されたデータを再生及び復号処理して元のアナログ信号の状態でなる画像及び音声データとして出力するようになされている。
記録装置１はアナログ信号でなる画像及び音声データを入力データＳ１としてインターフエイス部４を介して入力し、ＢＲＲ（Bit Rate Reduction）エンコーダ５に供給する。ＢＲＲエンコーダ５は供給された入力データＳ１に所定のデータ圧縮処理を施して符号化データＳ２を生成する。ＢＲＲエンコーダ５は生成した符号化データＳ２を誤り訂正エンコーダ６に送出する。
誤り訂正エンコーダ６は与えられた符号化データＳ２をＲＡＭ７に一時格納し、例えば符号化データＳ２を形成する１ブロツクを１単位として格子状に配置する。誤り訂正エンコーダ６は、ＲＡＭ７に格納した符号化データＳ２に積符号による誤り訂正符号化処理を施す。誤り訂正エンコーダ６は誤り訂正符号化処理として、符号化データＳ２に対して例えばリードソロモン符号化を行うことにより訂正符号（いわゆるパリテイビツト）を生成する。ここで列方向に対する符号化で得られる訂正符号を外符号、また行方向に対する符号化で得られる訂正符号を内符号とし、このような外符号及び内符号を積符号と呼ぶ。誤り訂正エンコーダ６は格納されている符号化データＳ２に、このような外符号及び内符号でなる積符号を付加する。因みに、この際、符号化データＳ２の時系列は行方向に一致している。
誤り訂正エンコーダ６は、このような誤り訂正符号化処理を施した符号化データＳ２を行方向に従つてＲＡＭ７から読み出し、記録データＳ３として記録駆動部８に供給する。記録駆動部８は記録のためのアンプ等を設けた構成でなり、誤り訂正符号化処理がなされた記録データＳ３を、磁気ヘツド９を介して磁気テープ３に記録する。
再生装置２は、こうして磁気テープ３に記録した記録データＳ３を磁気ヘツド１０を介して読み出し、再生データＳ４とする。再生装置２は再生データＳ４をイコライザ１１を介して内符号デコーダ１２に供給する。内符号データ１２は、この再生データＳ４を所定のサンプリング周波数でサンプリングして、再生データに変換する。そして、この再生データに対して、内符号による誤り訂正処理が行われる。１トラツクの再生データは、複数のＳＹＮＣブロツクと称されるデータ単位からなり、この内符号デコーダ１２における誤り訂正処理は、このＳＹＮＣブロツク単位でなされる。内符号デコーダ１２は再生データＳ４の各行に対して付された内符号で基づき復号処理を行い、各行毎に誤りが有るか否かを検出する。こうした誤り検出によつて実際に誤りを検出した場合、内符号デコーダ１２は誤り訂正を行う。また内符号デコーダ１２は、再生データＳ４の誤りを検出した行に対してエラーフラグを付加する。このようなエラーフラグの付加は検出したエラーの数が誤り訂正符号による誤り訂正能力を上まつて誤りが訂正されずに残つた場合のためであり、こうした場合にエラーの存在を示すために誤りを検出した行の全シンボルに対してなされる。
内符号の誤り訂正がなされたこの再生データＳ４は、ＲＡＭ１３にかきこまれる。次に内符号デコーダ１２は、上述のように内符号による誤り訂正を施した再生データＳ４をＲＡＭ１３から読み出して、外符号デコーダ１４に供給する。この際、内符号デコーダ１２はＲＡＭ１３に対してアドレス制御を行い、再生データＳ４を列方向に向かつて読み出す。こうして再生データＳ４は外符号の方向にデータ順序が読み替えられる。
こうして外符号方向に読み替えられた再生データＳ４は、外符号デコーダ１４に供給され、外符号デコーダ１４によつて外符号による誤り訂正が行われる。すなわち、データの各列に対して配された外符号パリティに基づき、各列毎に誤り訂正が行われる。この外符号による誤り訂正の際には、外符号とともに、内符号デコーダ１２における複合化の際に各シンボルに対して付されたエラーフラグも用いられる。
外符号デコーダ１４は再生データＳ４の各列に対して付された外符号に基づき復号処理を行い、各列毎に誤りが有るか否かを検出する。こうした誤り検出によつて実際に誤りを検出した場合、外符号デコーダ１４は誤り訂正を行う。また外符号デコーダ１４は再生データＳ４の誤りを検出した列に対してエラーフラグを付加する。このようなエラーフラグの付加は検出したエラーの数が誤り訂正符号による誤り訂正能力を止まつて誤りが訂正されずに残つた場合のためであり、内符号デコーダ１２により付加されたエラーフラグ及び当該外符号デコーダ１４による誤り検出によつて位置を特定し得るシンボルに対してなされる。
外符号デコーダ１４は、こうして外符号による誤り訂正を施した再生データＳ４をＲＡＭ１５から読み出す。この際、外符号デコーダ１４はＲＡＭ１５に対してアドレス制御を行い、再生データＳ４を行方向に向かつて読み出す。こうして再生データＳ４は内符号の、すなわち本来のデータ順序で読み出される。このように内符号及び外符号による誤り訂正処理がなされた再生データＳ４は、符号化データＳ５として、ＢＲＲデコーダ１６に供給される。
ＢＲＲデコーダ１６は符号化データＳ５を入力し、復号処理することによりデータ圧縮を解き、画像及び音声データでなる出力データＳ６としてインターフエイス１７を介して出力する。因みに、内符号及び外符号による誤り訂正処理によつて訂正しきれず、エラーフラグが付されたデータは復号処理がなされた後に、例えば補間等の手法を用いて修正がなされる。
ところでかかる構成の再生装置２においては、積符号による誤り訂正符号化処理によつて誤り訂正符号が付加されて記録されたデータを再生し、内符号による誤り検出及び訂正処理、外符号による誤り検出及び訂正処理を順次行うことで、記録されたデータに誤りが生じているか否かを検出し、誤りが生じている場合に訂正するようになされている。
すなわち再生装置２は内符号による誤り検出及び訂正処理と、外符号による誤り検出及び訂正処理とを併せて行うことで、内符号による誤り検出及び訂正処理のみで検出及び訂正し得ない誤りを外符号による誤り検出及び訂正処理によつて検出及び訂正するようになされている。
ところが実際上、記録されたデータに生じる誤りは、内符号による誤り検出及び訂正処理のみで検出及び訂正できる場合がほとんどである。具体的には図６及び図７において示すように、磁気テープ３の１トラツク当たり、内符号のみによる誤り検出及び訂正処理によつて検出又は訂正し得ないエラー数は１パーセント以下である。このため外符号による誤り検出及び訂正処理は、１パーセント以下の実働率であると言える。なお図７は図６で示すトラツク毎のエラー数を対数表示したものである。
このように再生装置２では、内符号のみによつて誤り検出＆訂正処理することが可能であるにもかかわらず、外符号による誤り検出＆訂正処理を行い、その結果として外符号デコーダ１４及びＲＡＭ１５（図５）を駆動するために多くの無駄な電力を消費しているという問題がある。
このような無駄な電力消費は携帯型機器の場合、駆動可能時間の低下を招くことになる。
本発明は以上の点を考慮してなされたもので、データの信頼性を維持しながら、無駄な電力消費を回避し得る再生装置、誤り訂正装置及び誤り訂正方法を提案しようとするものである。
かかる課題を解決するため本発明においては、所定の記録媒体から読み出した積符号による誤り訂正符号化処理がなされた符号化データから、当該符号化データを形成する内符号ブロツク毎の同期データを検出する同期検出手段と、符号化データを、内符号を用いて誤り検出及び誤り訂正処理する内符号誤り訂正手段と、符号化データを形成する内符号ブロツク毎に付加されたＩＤ番号を検出するＩＤ検出手段と、符号化データを、外符号を用いて誤り検出及び訂正処理する外符号誤り訂正手段と、同期検出手段、内符号誤り訂正手段、ＩＤ検出手段から送られた条件判別結果に応じて外符号誤り訂正手段による誤り検出及び誤り訂正処理を禁止する制御手段とを設ける。
データが所定の条件を満たすか否かを判別して、満たす場合にのみ外符号による誤り検出及び訂正処理を禁止するようにしたことにより、内符号のみによる誤り検出及び誤り訂正処理で十分な信頼性のあるデータが得られる場合に外符号による誤り検出及び誤り訂正処理を省略でき、消費される電力を節約し得る。
【図面の簡単な説明】
図１は、本発明の実施例による誤り訂正装置の構成を示すブロツク図である。
図２は、誤り訂正ブロツクの構成概略図である。
図３は、誤り訂正ブロツク中の１ＳＹＮＣブロツク図である。
図４は、外符号による誤り検出及び訂正処理を実行するか否かを判別する所定の条件及び判断手順を説明するために供するフローチヤートである。
図５は、従来の記録装置及び再生装置の構成を示すブロツク図である。
図６は、内符号のみにより誤り検出及び訂正処理した際のトラツク毎のエラー頻度を示す図表である。
図７は、内符号のみにより誤り検出及び訂正処理した際のトラツク毎のエラー頻度を示す図表である。
発明を実施するの最良の形態
以下図面について、本発明の一実施例を詳述する。
図５との対応部分に同一符号を付して示す図１において、２０は誤り訂正装置を示し、携帯型でなる再生装置２の内符号デコーダ１２及び外符号デコーダ１４に換えて設けられるようになされている。互いに異なる角度を有する１組の再生磁気ヘツドに依つて、アジマス角が互いに異なる隣接するトラツクを再生する再生装置２においては、互いに異なる角度を有する１組の再生磁気ヘツド１０（図５）のそれぞれのヘツド対応して誤り訂正装置２０を設けている。すなわち一方の誤り訂正装置には一方の再生ヘツドからの再生データが供給され、他方の誤り訂正装置にはもう一方の再生ヘツドからの再生データが供給される。この場合両者の誤り訂正装置は同一構成であるため、ここでは一方の誤り訂正装置２０を説明するに留めて、他方については説明を省略する。
再生装置２は、所定のデータ圧縮及び誤り訂正符号化処理がなされた後磁気テープ３（図５）に記録された記録データＳ３を磁気ヘツド１０及びイコライザ１１（図５）を介して読み出す。再生装置２は磁気テープ３から読み出した記録データＳ３を再生データＳ４として誤り訂正装置２０に入力する。ここで再生データＳ４には積符号を用いた誤り訂正符号化処理が記録装置１（図５）によつて施されている。
図２は、誤り訂正ブロツクの構成を示す概略図である。本発明の実施例においては、１フレームのデータは磁気テープ上に形成される１２本のトラツクによつて構成され、１２トラツク中の各トラツクは図２に示される１誤り訂正ブロツクによつて形成される。ビデオデータとオーディオデータとは個別に誤り訂正ブロツクが形成されるものであり、ここではビデオデータの誤り訂正ブロツクについてのみ説明する。例えば２１７バイト×２２６バイトのデータ配列からなるビデオデータに対して、矢印Ｂの方向に、各列のデータが例えば（２５０，２２６）リードソロモン符号によつて符号化され、２４バイトの外符号パリティが生成される。さらに、これらビデオデータ及び外符号パリティに対して、矢印Ａの方向に、各行のデータが例えば（２２９，２１７）リードソロモン符号によつて符号化され、１２バイトの内符号パリティが生成される。また各々のデータ行の先頭には、それぞれ２バイトの大きさを有するＳＹＮＣデータおよびＩＤデータが配される。
図３は、ビデオデータにおけるこれら誤り訂正ブロツクの１ＳＹＮＣブロツクの構成を示した図である。先頭の２バイトは同期情報を表すＳＹＮＣデータであり、続く２バイトはブロツクの識別情報を表すＩＤデータである。このＳＹＮＣブロツクの１トラツク内での番号やＳＹＮＣブロツク番号などが記されている。これらに２１７バイトのビデオデータ（または外符号パリティ）および内符号パリティが続く。磁気テープから再生される再生データＳ４は、このＳＹＮＣブロツクが連続したものである。
誤り訂正装置２０は、こうした再生データＳ４をシリアル／パラレル変換部２２（以下、これをＳ／Ｐ変換部２２と呼ぶ）に供給する。再生データＳ４はシリアルなビツトデータとして供給されるため、Ｓ／Ｐ変換部２２は再生データＳ４をパラレルな８ビツトデータ形式に変換してＳＹＮＣ検出部２３に供給する。
ＳＹＮＣ検出部２３は再生データＳ４からＳＹＮＣ（同期）データを抽出し、抽出後、再生データＳ４をレートコンバータ２４に送出する。因みに再生装置２は、こうして抽出したＳＹＮＣデータに基づいて同期をとりながらデータの再生を行う。またＳＹＮＣ検出部２３は、抽出の際にＳＹＮＣデータが完全に得られたか否かを検出する。さらにＳＹＮＣデータは一定周期毎に記録されるようになされているため、ＳＹＮＣ検出部２３は抽出の際にＳＹＮＣデータの周期に乱れが生じているか否かを検出する。ＳＹＮＣ検出部２３は当該検出によつて、ＳＹＮＣデータが完全に得られかつ周期に乱れが無いという結果が得られた場合、確認通知信号Ｓ７を後述するメモリ制御部３１に供給する。
レートコンバータ２４は内部にＦＩＦＯ（図指せず）を有しており、そのＦＩＦＯを用いて供給される再生データＳ４のクロツクの乗せかえを行い、再生データＳ４のデータレートをより高い周波数のデータレートに変換して送出する。このように高いレートに変換するのは、後述するメモリ制御部３１でのデータの書き込みおよび読み出しを時分割処理で行うためである。
レートコンバータ２４は、こうしてデータレートを高レートに変換した再生データＳ４を内符号デコーダ２５に供給する。
内符号デコーダ２５は再生データＳ４を入力して、１ＳＹＮＣブロツク毎に内符号による誤り検出及び誤り訂正処理を行う。内符号デコーダ２５は誤り検出及び誤り訂正処理を施した再生データＳ４をＩＤ補間部２９に送出する。また内符号デコーダ２５は誤り検出及び誤り訂正処理の際に誤り訂正能力を越えた誤りを検出した場合、誤り訂正を実行せずに誤りの存在を示すエラーフラグを再生データＳ４に付加して送出する。さらに内符号デコーダ２５は誤り検出及び誤り訂正処理によつて、全てのＳＹＮＣブロツクを訂正できたか否か、また誤りを検出して誤り訂正を行つたＳＹＮＣブロツク数が予め設定される基準値を越えたか否かを判別する。すなわち内符号デコーダ２５による誤り訂正処理によつて全ての誤りを訂正し得た場合でも、誤り訂正数が基準値以上である場合は誤り訂正を生じている可能性が高い。このため、内符号デコーダ２５は誤り訂正を行つたＳＹＮＣブロツク数が基準値以下であるか否かを判別している。内符号デコーダ２５は全てのＳＹＮＣブロツクが訂正でき、かつ誤り訂正を行つたＳＹＮＣブロツク数が基準値以下である場合、後述するメモリ制御部３１に確認通知信号Ｓ８を供給する。
また内符号デコーダ２５は誤り検出及び誤り訂正処理の際に得られる誤り訂正情報をエラーカウンタ２６に供給する。エラーカウンタ２６は、この誤り訂正情報に基づいて内符号デコーダ２５におけるエラー数をカウントする。エラーカウンタ２６は、こうしてカウントするエラー数をバス２７を介してインターフエイス部２８に供給する。
一方、ＩＤ補間部２９は再生データＳ４を入力して、１ＳＹＮＣブロツク毎にＩＤデータを検出する。ＩＤデータは供給されるＳＹＮＣブロツクの順序で時系列方向に連続性を有したデータであるため、ＩＤ補間部２９は連続的なカウントを行いながら当該カウント値と検出したＩＤデータとを比較して、ＩＤデータの連続性を判別している。こうした判別によりカウント値と検出したＩＤデータとが一致しない場合、ＩＤ補間部２９はカウント値に基づいてＩＤデータの付け換えを行う。またＩＤ補間部２９は、カウント値と検出したＩＤデータとが一致する判別結果が得られた場合、後述するメモリ制御部３１に確認通知信号Ｓ９を供給する。
ＩＤ補間部２９は、こうしてＩＤデータを検出し、不連続性を検出した場合にＩＤデータの付け換えを行つた再生データＳ４をデスクランブル部３０に供給する。
デスクランブル部３０は例えば記録装置１（図５）による所定の符号化処理によつて再生データＳ４に暗号化がなされている場合、この暗号化処理と逆の処理を行つて再生データＳ４の暗号化を解除するようになされている。デスクランブル部３０は暗号化解除処理の後、再生データＳ４をメモリ制御部３１に供給する。
メモリ制御部３１は供給される再生データＳ４をＲＡＭ１３に格納する。メモリ制御部３１は確認通知信号Ｓ７、Ｓ８及びＳ９が全て与えられている場合に限り、外符号による誤り検出及び誤り訂正が不要であると判断してＲＡＭ１３から再生データＳ４を読み出す。メモリ制御部３１は読み出した画像データでなる再生データＳ４をビデオＡＵＸ部３３に供給すると共に再生ビデオ信号Ｓ１０として出力し、また音声データでなる再生データＳ４をオーデイオ外符号デコーダ３４に送出する。
ビデオＡＵＸ部３３は画像データでなる再生データＳ４からＶＡＵＸデータを抽出し、バス２７及びインターフエイス部２８を介して外部の機器に送出する（図示せず）。またオーデイオ外符号デコーダ３４は音声データでなる再生データＳ４に外符号による誤り検出及び誤り訂正を施し、レートコンバータ３５に与えると共にオーデイオＡＵＸ部３６に供給する。レートコンバータ３５は音声データでなる再生データＳ４のクロツクをオーデイオ信号のクロツクに乗せ換えてレート変換して、デシヤフリング部３７に供給する。またオーデイオＡＵＸ部３６は音声データでなる再生データＳ４からＡＡＵＸデータを抽出し、バス２７及びインターフエイス部２８を介して外部の機器に送出する（図示せず）。デシヤフリング部３７は、音声データでなる再生データＳ４を時間軸方向に並べ換えてコンシール部３８に送出する。コンシール部３８は音声データでなる再生データＳ４に付加されているエラーフラグに基づいてデータ修正を行い、再生オーデイオデータＳ１１として出力する。
一方、メモリ制御部３１は確認通知信号Ｓ７、Ｓ８及びＳ９の何方か一つでも与えられていない場合、外符号による誤り検出及び誤り訂正が必要であると判断してＲＡＭ１３から再生データＳ４を読み出す。メモリ制御部３１は読み出した画像データでなる再生データＳ４をビデオ外符号デコーダ３９に供給する。この際、メモリ制御部３１はＲＡＭ１３をアドレス制御して再生データＳ４を外符号方向に従つて読み出す。
ビデオ外符号デコーダ３９は再生データＳ４を入力して、１ＳＹＮＣブロツク毎に外符号による誤り検出及び誤り訂正処理を行う。ビデオ外符号デコーダ３９は誤り検出及び誤り訂正処理を施した再生データＳ４をメモリ制御部３１に供給し、メモリ制御部３１は当該再生データＳ４を元の内符号方向に従つて格納する。またビデオ外符号デコーダ３９は誤り検出及び誤り訂正処理の際に誤り訂正能力を越えた誤りを検出した場合、誤り訂正を実行せずに誤りの存在を示すエラーフラグを再生データＳ４に付加してメモリ制御部３１に供給する。
さらにビデオ外符号デコーダ３９は誤り検出及び誤り訂正処理の際に得られる誤り訂正情報をエラーカウンタ２６に供給する。エラーカウンタ２６は、この誤り訂正情報に基づいてビデオ外符号デコーダ２５におけるエラー数をカウントする。エラーカウンタ２６は、こうしてカウントするエラー数を上述した内符号デコーダ２５におけるエラー数と共にバス２７を介してインターフエイス部２８に供給する。
なお誤り訂正装置２０では、基準信号生成部４０によつて誤り訂正装置２０内で用いられる各種タイミング信号を生成するようになされている。
このように誤り訂正装置２０は、再生データＳ４に外符号による誤り検出及び誤り訂正を行うか否かを所定の条件を満たすか否かによつて判別し、これによつて内符号のみによつて全て誤り検出及び誤り訂正し得る場合は外符号による誤り検出及び誤り訂正を省略するようになされている。
誤り訂正装置２０は以下に説明する制御手順に従い、メモリ制御部３１によつて外符号による誤り検出及び誤り訂正を省略するか否かを判別し、この判別結果に応じてＲＡＭ１３及びビデオ外符号デコーダ３９の駆動を制御している。
すなわち図４に示すように、誤り訂正装置２０はステツプＳＰ１で手順を開始する。誤り訂正装置２０はＳＹＮＣ検出部２３によつて、ステツプＳＰ２で、ＳＹＮＣデータを全て検出し得たか否かを判別する。ＳＹＮＣデータを全て検出し得なかつた場合、誤り訂正装置２０はステツプＳＰ８にジヤンプし、ＳＹＮＣデータを全て検出し得た場合はステツプＳＰ３に処理を進める。次に誤り訂正装置２０はＳＹＮＣ検出部２３によつて、ステツプＳＰ３で、検出したＳＹＮＣデータに周期の乱れが無いか否かを判別する。周期に乱れがある場合、誤り訂正装置２０はステツプＳＰ８にジヤンプし、周期に乱れた無い場合はステツプＳＰ４に処理を進める。ここで誤り訂正装置２０は、ステツプＳＰ２及び３による判別結果をＳＹＮＣ検出部２３からメモリ制御部３１に供給する確認通知信号Ｓ７によつて通知している。
また誤り訂正装置２０は内符号デコーダ２５によつて、ステツプＳＰ４で、内符号による誤り検出及び誤り訂正で全てのエラーを訂正できたか否かを判別する。訂正し得ないエラーが存在した場合、誤り訂正装置２０はステツプＳＰ８のジヤンプし、全てのエラーを訂正し得た場合はステツプＳＰ５に処理を進める。次に誤り訂正装置２０は内符号デコーダ２５によつて、ステツプＳＰ５で、誤りが検出され内符号による誤り訂正処理が施されたＳＹＮＣブロツク数が基準値以上であるか否かを判別する。基準値以上である場合、誤り訂正装置２０はステツプＳＰ８にジヤンプし、基準値以下である場合はステツプＳＰ６に処理を進める。ここで誤り訂正装置２０は、ステツプＳＰ４及び５による判別結果を内符号デコーダ２５からメモリ制御部３１に供給する確認通知信号Ｓ８によつて通知している。
続いて誤り訂正装置２０はＩＤ補間部２９によつて、ステツプＳＰ６で、ＩＤデータに連続性が有るか否かを判別する。具体的に誤り訂正装置２０はＩＤ補間部２９によつて再生データＳ４の１ＳＹＮＣブロツク毎のＩＤ番号を検出しており、このＩＤ番号に連続性があるか否かによつてＩＤデータに連続性が有るか否かを判別する。連続性が無い場合、誤り訂正装置２０はステツプＳＰ８にジヤンプし、連続性が有る場合は次のステツプに処理を進める。ここで誤り訂正装置２０は、ステツプＳＰ６による判別結果をＩＤ補間部２９からメモリ制御部３１に供給する確認通知信号Ｓ９によつて通知している。
こうしてステツプＳＰ２〜ＳＰ６による判別により所定の条件が満たされた場合、誤り訂正装置２０はメモリ制御部３１によつて、ステツプＳＰ７で、外符号による誤り検出及び誤り訂正を省略する。すなわちＳＹＮＣデータが周期の乱れ無く全て検出でき（ＳＰ２及び３）、誤りが検出されたＳＹＮＣブロツク数が基準値以下でありかつ内符号により全ての誤りが訂正処理でき（ＳＰ４及び５）、ＩＤデータに全て連続性が認められた（ＳＰ６）場合、メモリ制御部３１は再生データＳ４が十分にデータ信頼度を有するものであり、内符号のみによる誤り検出及び誤り訂正で全て誤り訂正処理が行い得たものとして判断し、外符号による誤り検出及び誤り訂正を省略する。
一方、上述の条件を一つでも満たし得ない場合、メモリ制御部３１はステツプＳＰ８で、内符号による誤り検出及び誤り訂正だけでは不十分であると判断し、外符号による誤り検出及び誤り訂正処理を実行する。かくして誤り訂正装置２０はステツプＳＰ９で手順を終了する。
なお、上述した各手順で各条件を検出するための構成は、従来の誤り訂正装置の各部を流用することにより対応することができ、特に大幅な追加構成を設けること無く実行することができるようになされている。
以上の構成において、誤り訂正装置２０は上述した所定の条件を満たす場合に外符号による誤り検出及び誤り訂正を省略し得ると判別して、メモリ制御部３１の制御によつてビデオ外符号デコーダ３９を駆動しないようになされている。
まずＳＹＮＣデータ検出の際にＳＹＮＣデータが全て検出し得なかつたり、周期に乱れが認められる場合には画像及び音声データそのものに内符号のみでは訂正しきれない誤りが生じている可能性が高いため、このようなＳＹＮＣデータを検出した１ＳＹＮＣブロツク内に記録されている画像及び音声データには十分なデータ信頼性が無いものとする。
また内符号による誤り検出及び誤り訂正処理によつて全ての誤りが訂正できたか否かを判別すると共に、誤りが検出されたＳＹＮＣブロツク数が予め設定される基準値以下であるか否かを判別して、内符号のみによる誤り検出及び誤り訂正処理で十分であるか否かを判定する。１ＳＹＮＣブロツクでも訂正し得ないブロツクが存在する場合には内符号のみで無く、外符号による誤り検出及び誤り訂正処理を実行して誤り訂正の精度を上げることは言うまでも無い。これに加えて、誤りが検出されたＳＹＮＣブロツクが基準値を越えている場合、外符号による誤り検出及び誤り訂正処理を省略しない。すなわち、このように頻繁に誤りが生じているＳＹＮＣブロツクが存在する場合、このようなデータを内符号のみによつて誤り検出及び誤り訂正処理した際に誤訂正が生じる可能性が有り、データ信頼度が必ずしも高いものとは言えないためである。
さらにＩＤデータに連続性が存在するか否かを判別する。通常、ＩＤデータは連続する各ＳＹＮＣブロツクにおいて、連続する番号が割り当てられるようになされている。このようなＩＤデータに連続性が認められない場合、画像及び音声データ等にもデータの抜け落ち等が生じている可能性があるため、データ信頼性が十分高いものと言えず、このため外符号による誤り検出及び誤り訂正処理を省略せずに実行する。
このように誤り訂正装置２０は、上述の条件を全て満たす場合にのみ、内符号のみによる誤り検出及び誤り訂正処理で十分なデータ信頼性が得られるものと判断するようにしたことにより十分なデータ信頼度を確保しながら外符号による誤り検出及び誤り訂正処理を省略することができ、かくするにつき、ビデオ外符号デコーダ３９の駆動及びビデオ外符号デコーダ３９に供給する再生データＳ４の読み出しに伴うＲＡＭ１３へのアクセス制御を省略して、消費電力を低減することができる。
また誤り訂正装置２０は、このような判断手順によるビデオ外符号デコーダ３９の制御を、従来構成でなる誤り訂正装置に回路の流用等を利用した若干の追加のみで実現することができ、構成を簡易にすることができる。
以上の構成によれば、ＳＹＮＣ検出部２３、内符号デコーダ２５及びＩＤ補間部２９による検出結果である確認通知信号Ｓ７〜Ｓ９によつてメモリ制御部３１により再生データＳ４が所定の条件を満たすものであるか否かを判別し、所定の条件を満たす場合に内符号デコーダ２５による誤り検出及び誤り訂正処理のみで十分な信頼性を有するデータが得られるものと判定して、ビデオ外符号デコーダ３９での外符号による誤り検出及び誤り訂正処理を省略する。これにより誤り訂正装置２０は簡易な構成で、十分なデータ信頼性を保持しながら外符号による誤り検出及び誤り訂正処理を省略して消費電力を低減することができ、無駄な電力消費を回避することができる。
なお上述の実施例においては、携帯型でなる再生装置２に設けられた誤り訂正装置２０の場合について述べたが、本発明はこれに限らず、例えば据え置き型の再生装置に設けられる誤り訂正装置に適用してもよい。この場合も実施例と同様の消費電力を低減する効果は十分に得られる。
また上述の実施例においては、画像及び音声データに所定のデータ圧縮及び誤り訂正符号化処理を施して磁気テープ３に記録する場合について述べたが、本発明はこれに限らず、例えば磁気デイスクに記録する場合に適用してもよい。すなわち実施例の効果は記録媒体の種別に左右されること無く得ることができる。
さらに上述の実施例においては、メモリ制御部３１に供給される再生データＳ４をＲＡＭ１３に格納する場合について述べたが、本発明はこれに限らず、例えばＳＤＲＡＭを用いるようにしてもよい。すなわち種別に係わらずメモリ手段であれば、どのようなメモリを用いてもよい。
産業上の利用可能性
本発明の再生装置、誤り訂正装置及び誤り訂正方法は、例えば積符号による誤り訂正符号化処理が施されたデイジタルデータを複合処理して再生する場合に適応される。
【図１】
0003671423.tif 000002
【図２】
0003671423.tif 000003
【図３】
0003671423.tif 000004
【図４】
0003671423.tif 000005
【図５】
0003671423.tif 000006
【図６】
0003671423.tif 000007
【図７】
0003671423.tif 000008
0003671423.tif 000009